(57)【要約】【課題】ディスプレイのバックライトユニット部材として単独でも有効に機能し、ディスプレイ自体の薄型化や製造工程の簡素化及び低コスト化を図り、空隙層内が接着剤もしくは粘着剤で埋まることのない光学シート及びバックライトユニット並びに表示装置を提供する。【解決手段】光学シート１０と光拡散板１８との一体化を行う際に、単層もしくは二層構造の接着層もしくは粘着層になるように用い、光反射層１５側の接着層もしくは粘着層の厚みを２μｍ以上１５μｍ以下とすることで、光学シートと光拡散層とを一体２貼り合わせた場合、接着層もしくは粘着層に対する荷重圧力が０．５Ｎ／ｍｍ２未満の時の空隙層１４内への接着層もしくは粘着層の押し込みが阻止され、接着層もしくは粘着層に対する荷重圧力が０．５Ｎ／ｍｍ２以上１．５Ｎ／ｍｍ２以下の時に空隙層１４内に押し込まれた接着層もしくは粘着層が５分以内に復元される構成にした。【選択図】図４
2009116229.tif 000002
【特許請求の範囲】
【請求項１】
ディスプレイ用バックライトユニットの照明光路制御に使用される光学シートであって、
光透過性の基材と、前記基材の一方の面に単位レンズを二次元方向に一定のピッチで配列形成してなるレンズ部とを有するレンズシートを備え、
前記基材の前記レンズ部と反対の面に、前記各単位レンズの集光部分にそれぞれ臨む空隙層と前記各単位レンズの非集光部分にそれぞれ臨む光反射層が並列して設けられ、
前記基材と反対に位置する少なくとも前記光反射層の面に単層もしくは二層構造の接着層もしくは単層もしくは二層構造の粘着層を介して光拡散板が一体に接着され、
前記接着層もしくは粘着層は、前記接着層もしくは粘着層に対する荷重圧力が０．５Ｎ／ｍｍ２未満の時は前記接着層もしくは粘着層が前記空隙層内への押し込みが阻止され、かつ、前記接着層もしくは粘着層に対する荷重圧力が０．５Ｎ／ｍｍ２以上１．５Ｎ／ｍｍ２以下の時に前記空隙層内に押し込まれた前記接着層もしくは粘着層が５分以内に復元し前記空隙層外に退避するように設けられている、
ことを特徴とする光学シート。
【請求項２】
前記レンズ部は凸シリンドリカルレンズ群または半球状凸レンズ群から構成されていることを特徴とする請求項１記載の光学シート。
【請求項３】
前記二層構造の接着層もしくは粘着層は同一の接着剤もしくは粘着剤からなることを特徴とする請求項１記載の光学シート。
【請求項４】
前記二層構造の接着層もしくは粘着層は互いに異なる接着剤もしくは粘着剤からなることを特徴とする請求項１記載の光学シート。
【請求項５】
前記単層もしくは二層構造の接着層もしくは粘着層は、該接着層もしくは粘着層の内部に光拡散粒子が分散混合されていることを特徴とする請求項１記載の光学シート。
【請求項６】
前記光反射層側の接着層もしくは粘着層の厚さが２μｍ以上１５μｍ以下であることを特徴とする請求項１〜５の何れか１項に記載の光学シート。
【請求項７】
前記二層構造の接着層もしくは粘着層は、それら接着層もしくは粘着層との間に介在された透明な支持体を含んで構成されていることを特徴とする請求項１〜６の何れか１項に記載の光学シート。
【請求項８】
前記支持体は、ガラス、ポリカーボネート、アクリル、ポリエチレンテレフタレート等を素材とするポリマーフィルムもしくはシートから構成されていることを特徴とする請求項７記載の光学シート。
【請求項９】
前記空隙層は空気を含むことを特徴とする請求項１記載の光学シート。
【請求項１０】
光源と、請求項１乃至９の何れか１項に記載の光学シートを少なくとも備える、
ことを特徴とするディスプレイ用バックライトユニット。
【請求項１１】
画素単位での透過／遮光に応じて表示画像を規定する画像表示素子と、
前記画像表示素子の背面に、請求項１０記載のディスプレイ用バックライトユニットを備えることを特徴とする表示装置。
【発明の詳細な説明】
【技術分野】
【０００１】
本発明は、主に液晶表示素子を用いたディスプレイ用バックライトユニット（直下型）における照明光路制御に使用される光学シート及び該光学シートを用いたバックライトユニット並びに表示装置に関する。
【背景技術】
【０００２】
近年、液晶パネルを使用した液晶表示装置（ＬＣＤ）は、ＯＡ分野のノート型パーソナルコンピュータやパーソナルコンピュータ用ディスプレイ、情報端末機器などの画像表示手段、または大型画面テレビなどの情報家電の画像表示手段、さらには携帯電話や個人用携帯情報端末（ＰＤＡ：Personal Digital Assistance）の画像表示手段として様々な分野で利用されてきている。
【０００３】
液晶表示装置（ＬＣＤ）に代表されるディスプレイでは、提供される情報を認識するのに必要な光源を内蔵しているタイプの普及が著しい。
このような液晶表示装置は透過型であり、液晶パネルの背面側に光源を配設し、この光源からの光を面発光に変換して液晶パネルを照射する面光源装置、いわゆる、バックライトが採用されている。
【０００４】
バックライトの方式には、大別して冷陰極管（ＣＣＦＴ：Cold Cathode Fluorescent Tube）等の光源を光透過性に優れたアクリル樹脂等からなる平板状の導光板の側端部に沿って取付け、光源からの光を導光板内で多重反射させる導光板ライトガイド方式（エッジライト方式）と、導光板を用いず液晶パネルの背面に光源を配置した直下型方式とがある。
【０００５】
最近では、ノート型パーソナルコンピュータや携帯情報端末などに用いられる２０インチ以下の画面サイズの小型液晶表示装置には、低消費電力化が図れ、薄型化の容易なエッジライト方式の採用が主流となり、２０インチ以上の画面サイズの中型ないし大型液晶表示装置では直下型方式の採用が主流となっている。
また、ラップトップコンピュータのような電池式装置において、光源で消費される電力は、電池式装置全体で消費する電力の相当部分を占める。
従って、所定の輝度を提供するのに必要な総電力を低減することで電池寿命が増大するが、これは電池式装置には特に望ましいことである。
特に、２０インチ以上の液晶表示装置に対しては、より薄型で、視野角依存性が低く、高輝度、かつ低消費電力であることが要求されており、液晶表示装置に搭載されるバックライトもその実現に対処することが要求されている。
【０００６】
複数本の冷陰極管を並列に配置してなる直下型方式バックライトでは、光源としての冷陰極管（ＣＣＦＴ）やＬＥＤ（Light Emitting Diode）などからの出射光は拡散板を通して拡散されるため、その発光した光源の形状が直接視認できてしまう。このため、拡散板には非常に光散乱性の強い樹脂板が用いられている。この拡散板は、強い拡散性を持たせるために通常１ｍｍ〜３ｍｍ程度の厚さが必要であり、その厚さのために光吸収が少なからずあり、光源からの光量が減少し液晶画面表示が暗くなる問題がある。
【０００７】
米国３Ｍ社の登録商標である輝度強調フィルム（Brightness Enhancement Film：ＢＥＦ）が、この問題を解決する光学シートとして広く使用されている。
この種のＢＥＦは、図１に示すように、基材１上に、断面三角形状の単位プリズム２が一方向に一定のピッチで配列されたフィルムである。このプリズム２は光の波長に比較して大きいサイズ（ピッチ）である。ＢＥＦは、“軸外（off-axis）”からの光を集光し、この光を視聴者に向けて“軸上（on-axis）”に方向転換（redirect）または“リサイクル（recycle）”する。
【０００８】
ディスプレイの使用時（観察時）に、ＢＥＦは、軸外輝度を低下させることによって軸上輝度を増大させる。ここで言う「軸上」とは、視聴者の視覚方向に一致する方向であり、一般的にはディスプレイ画面に対する法線方向（図１中に示す矢印Ｆの方向）である。
プリズム２の反復的アレイ構造が一方向のみに並列された光学シートでは、プリズム２の並列方向での方向転換またはリサイクルのみが可能であり、水平および垂直方向での表示光の輝度制御を行うために、プリズム群の並列方向が互いに直交するように、２枚の光学シートを重ね合わせて用いられる。
【０００９】
ＢＥＦの採用により、ディスプレイ設計者が電力消費を低減しながら所望の軸上輝度を達成することができるようになった。ＢＥＦに代表されるプリズム２の反復的アレイ構造を有する輝度制御部材をディスプレイに採用する旨が開示されている（例えば特許文献１乃至３参照）。
【特許文献１】特公平１−３７８０１号公報
【特許文献２】特開平６−１０２５０６号公報
【特許文献３】特表平１０−５０６５００号公報
【発明の開示】
【発明が解決しようとする課題】
【００１０】
上記のようなＢＥＦを輝度制御部材として用いた光学シートでは、図２に示すように、屈折作用ｘによって、光源３からの光Ｐが、最終的には、制御された角度φで出射されることによって、視聴者の視覚方向Ｆの光の強度を高めるように制御することができる。しかしながら、同時に反射／屈折作用ｙによる光成分が、視聴者の視覚方向Ｆに進むことなく横方向に無駄に出射されてしまい、水平方向に角度をつけると急激な輝度の低下が生じる。
【００１１】
この問題を解決する手段として、光源からの光を均一化し、かつ拡散範囲を制御して出射させることが可能であるように、入射面側からの入射光を、非入射面である出射面側に散乱する光拡散層と、この光散乱層の出射面に一方の面が固定され、光散乱層によって散乱された光を光拡散層側に反射する光反射層と、この光反射層の他方の面に裏面が固定され、表面に複数のレンズが配置されてなるレンズシートが開発されている。この場合、光反射層の一部の屈折率を光拡散層及びレンズシートの屈折率よりも低くし、複数のレンズの各々に対応して設けられた複数の低屈折率領域で光源からの光を貫通させている。
このような光学シートを用いることで、図３の曲線３１に示すように水平方向に広い角度で緩やかな輝度分布変化を維持できる。また、図３において、曲線３２はＢＥＦフィルム（ＢＥＦＦ）の輝度分布変化を示している。
【００１２】
上記光学シートは、ＢＥＦよりも水平方向で広い角度で緩やかな輝度分布変化を示すようになるが、液晶ディスプレイのバックライトユニットとして用いる場合には、ＢＥＦの使用時と同様、該光学シートの他に拡散シート等を用いることが必要であり、ディスプレイ装置組立て時の工程の煩雑さやコスト低下を阻害するといった問題が生じる。
それに対し、上記光学シートと光拡散板を一体化することで、バックライトユニットの部材数軽減やディスプレイ装置の製造工程の簡素化を図ることが可能である。
しかしながら、光学シートと光拡散板とを一体化させた場合に最適な接着剤もしくは粘着剤の性質として、積載の際の荷重やセッティングの際の押し圧力で空隙層内が接着剤もしくは粘着剤により埋まってしまい、その結果、光学シートの外観及びその光学特性を維持できない場合が生じる。
【００１３】
本発明は上記のような従来の問題を解決するためになされたもので、液晶ディスプレイ等のバックライトユニット部材として単独でも有効に機能し、液晶ディスプレイ自体の薄型化や製造工程の簡素化及び低コスト化に寄与するとともに空隙層内が接着剤もしくは粘着剤で埋まることのないディスプレイ用光学シート及びこれを用いたバックライトユニット並びに表示装置を提供することを目的とする。
【課題を解決するための手段】
【００１４】
本発明は上記の目的を達成するためになされたもので、請求項１に係る発明は、ディスプレイ用バックライトユニットの照明光路制御に使用される光学シートであって、光透過性の基材と、前記基材の一方の面に単位レンズを二次元方向に一定のピッチで配列形成してなるレンズ部とを有するレンズシートを備え、前記基材の前記レンズ部と反対の面に、前記各単位レンズの集光部分にそれぞれ臨む空隙層と前記各単位レンズの非集光部分にそれぞれ臨む光反射層が並列して設けられ、前記基材と反対に位置する少なくとも前記光反射層の面に単層もしくは二層構造の接着層もしくは単層もしくは二層構造の粘着層を介して光拡散板が一体に接着され、前記接着層もしくは粘着層は、前記接着層もしくは粘着層に対する荷重圧力が０．５Ｎ／ｍｍ２未満の時は前記接着層もしくは粘着層が前記空隙層内への押し込みが阻止され、かつ、前記接着層もしくは粘着層に対する荷重圧力が０．５Ｎ／ｍｍ２以上１．５Ｎ／ｍｍ２以下の時に前記空隙層内に押し込まれた前記接着層もしくは粘着層が５分以内に復元し前記空隙層外に退避するように設けられていることを特徴とする。
【００１５】
請求項２の発明は、請求項１記載の光学シートにおいて、前記レンズ部は凸シリンドリカルレンズ群または半球状凸レンズ群から構成されていることを特徴とする。
請求項３の発明は、請求項１記載の光学シートにおいて、前記二層構造の接着層もしくは粘着層は同一の接着剤もしくは粘着剤からなることを特徴とする。
請求項４の発明は、請求項１記載の光学シートにおいて、前記二層構造の接着層もしくは粘着層は互いに異なる接着剤もしくは粘着剤からなることを特徴とする。
請求項５の発明は、請求項１記載の光学シートにおいて、前記単層もしくは二層構造の接着層もしくは粘着層は、該接着層もしくは粘着層の内部に光拡散粒子が分散混合されていることを特徴とする。
【００１６】
請求項６の発明は、請求項１〜５の何れか１項に記載の光学シートにおいて、前記光反射層側の接着層もしくは粘着層の厚さが２μｍ以上１５μｍ以下であることを特徴とする。
請求項７の発明は、請求項１〜６の何れか１項に記載の光学シートにおいて、前記二層構造の接着層もしくは粘着層は、それら接着層もしくは粘着層との間に介在された透明な支持体を含んで構成されていることを特徴とする。
請求項８の発明は、請求項７記載の光学シートにおいて、前記支持体は、ガラス、ポリカーボネート、アクリル、ポリエチレンテレフタレート等を素材とするポリマーフィルムもしくはシートから構成されていることを特徴とする。
請求項９の発明は、請求項１記載の光学シートにおいて、前記空隙層は空気を含むことを特徴とする。
【００１７】
請求項１０の発明は、ディスプレイ用バックライトユニットであって、光源と、請求項１乃至９の何れか１項に記載の光学シートを少なくとも備えることを特徴とする。
【００１８】
請求項１１の発明は、表示装置であって、画素単位での透過／遮光に応じて表示画像を規定する画像表示素子と、前記画像表示素子の背面に、請求項１０記載のディスプレイ用バックライトユニットを備えることを特徴とする。
【発明の効果】
【００１９】
本発明によるディスプレイ用光学シート及びこれを用いたバックライトユニット並びに表示装置によれば、正面輝度向上性を有する光学シートと光拡散層とを単層もしくは支持体（キャリア）を介在した二層構造の接着層もしくは粘着層を介して貼合することで、光学シートと光拡散板とが求める最適な密着強度で一体化を図ることができる。
【００２０】
また、本発明によれば、水平方向でより広い角度での緩やかな輝度分布変化を維持するために白色顔料を主成分とする光反射層を有する光学シートを用いた場合、支持体（キャリア）を介在した二層構造の接着層もしくは粘着層を用いて光学シート側と光拡散層側との貼合環境を異ならせることにより、光学シートが有効に機能するために不可欠な空気層を保持したまま、光学シートと光拡散板との密着性を確保することが可能となる。
【００２１】
また、本発明によれば、光反射層側の接着層もしくは粘着層の厚みを２μｍ以上１５μｍ以下とすることで、当該接着層もしくは粘着層を介して光学シートと光拡散層とを一体化した場合、接着層もしくは粘着層に対する荷重圧力が０．５Ｎ／ｍｍ２未満の時の空隙層内への接着層もしくは粘着層の押し込みが阻止され、そして、接着層もしくは粘着層に対する荷重圧力が０．５Ｎ／ｍｍ２以上１．５Ｎ／ｍｍ２以下の時に空隙層内に押し込まれた接着層もしくは粘着層が５分以内に復元して空隙層外に退避するから、空隙層内も元の状態に復元され、光学シートの外観及びその光学特性を維持できる。
【００２２】
また、本発明によれば、補助部材を必要としない光学シートと光拡散層とを一体化したバックライト部材が実現することで、液晶ディスプレイ等の表示装置自体の製造工程の軽減、薄型化及びコストダウンを実現できる利点がある。
【発明を実施するための最良の形態】
【００２３】
（実施の形態１）
以下、本発明の実施の形態を図面に基づき詳細に説明する。
図４は本発明の実施の形態１における光学シートの説明用断面図である。
この図４において、光学シート１０は、ディスプレイ用バックライトユニットの照明光路制御に使用されるもので、ポリカーボネート（ＰＣ）、アクリル、ポリエチレンテレフタレート（ＰＥＴ）等からなる光透過性の基材１１と、この基材１１の一方の面にレンチキュラーレンズ（ストライプ状の半円柱状凸シリンドリカルレンズの反復アレイ構造）などの構造を持つ単位レンズ１２ａを平面方向に一定のピッチで配列形成してなるレンズ部１２とを有するレンズシート１３を備える。なお、単位レンズ１２ａは半円柱状のものに限定されず、半球状の凸レンズを二次元方向に一定のピッチで配列形成した構造のものであってもよい。
また、基材１１のレンズ部１２と反対の面には、各単位レンズ１２ａの集光部分にそれぞれ臨むストライプ状の空隙層１４と各単位レンズ１２ａの非集光部分にそれぞれ臨むストライプ状の光反射層１５が感材１６を介して並列して設けられている。
さらに、基材１１と反対に位置する空隙層１４及び光反射層１５の面には二層構造の接着層もしくは粘着層１７を介して光拡散板１８が一体に接着されている。
なお、光拡散板１８を一体に貼り合わせる接着層もしくは粘着層は二層構造のものに限定されず、単層構造のものでもよい。また、光反射層１５側の二層構造の接着層もしくは粘着層１７が介在される面は、空隙層１４の領域を除いた光反射層１５の面だけ介在されるようにしても良い。
【００２４】
前記二層構造の接着層もしくは粘着層１７は、図４に示すように、ポリエチレンテレフタレート（ＰＥＴ）等からなる所定の厚さ（例えば、１２μｍ）の透明な支持体（キャリア）１７ａを挟んで空隙層１４及び光反射層１５への貼り合わせ面に形成される第１の接着層もしくは粘着層１７ｂ及び光拡散板１８への貼り合わせ面に形成される第２の接着層もしくは粘着層１７cとから構成されている。
前記光学シート１０において、二層構造の接着層もしくは粘着層１７により一体に貼り合わされる光拡散板１８としては、当該分野でよく知られているポリカーボネートやシクロオレフィンポリマー、アクリル、ポリスチレン、もしくはこれらの材料を任意の比で配合したものを材料とする光微拡散板や透明板が挙げられる。
接着層もしくは粘着層１７には、紫外線硬化性樹脂や熱可塑性樹脂の接着剤もしくは粘着剤が使用され、バインダー樹脂としては、当該分野でよく知られているポリカーボネートやアクリル、ポリプロピレン、シクロオレフィンポリマーが使用される。また、ビーズや拡散材としては，ガラスやシリカなどの無機フィラー、有機フィラーなどが挙げられる。
【００２５】
本実施の形態において、光学シートと光拡散板とを一体化させた場合に最適な接着剤もしくは粘着剤の性質として、積載の際の荷重やセッティングの際の押し圧力に対する耐圧性能の例を図５に示す。
この図５は、光学シート、光学シートの貼合面に接する単層構造の接着剤もしくは粘着剤（以下、上接着剤もしくは粘着剤と表記する）、キャリア、光拡散板の貼合面に接する二層構造の接着剤もしくは粘着剤（以下、下接着剤もしくは粘着剤と表記する）の組み合わせを表わしている。
図５から明らかなように、単層構造もしくは二層構造の接着剤もしくは粘着剤に対する荷重圧力が０．５Ｎ／ｍｍ２未満の時は接着剤もしくは粘着剤が空隙層１４内への押し込みが阻止され、かつ、接着剤もしくは粘着剤に対する荷重圧力が０．５Ｎ／ｍｍ２以上１．５Ｎ／ｍｍ２以下の時に空隙層１４内に押し込まれた接着剤もしくは粘着剤が５分以内に復元し空隙層１４外に退避するようになっている。すなわち、接着剤もしくは粘着剤に対する荷重圧力が０．４Ｎ／ｍｍ２の時、図５の丸印で示すように、接着剤もしくは粘着剤の初期外観は保持される。また、接着剤もしくは粘着剤に対する荷重圧力が０．８Ｎ／ｍｍ２の時に空隙層１４内に押し込まれた接着剤もしくは粘着剤が、図５の丸印で示すように５分以内に復元することが認められた。
また、図５において、実施例１〜３の光学シート１０に使用される光反射層１５側の接着剤もしくは粘着剤ＡまたはＢの厚みは２μｍ以上１５μｍ以下である。そして、これら接着剤もしくは粘着剤には光拡散材やＵＶ硬化材を含むものが用いられる。
なお、図５において、接着剤もしくは粘着剤の厚さを２μｍとすると接着強度が不足し、一体化することが不可能となるため、接着剤もしくは粘着剤の厚さは２μｍ以上であることが望ましい。また、実験データとしても、接着剤もしくは粘着剤の厚さを２μｍ未満で行うと厚みむらにより、接着剤もしくは粘着剤の塗布されない箇所ができてしまう問題がある。
【００２６】
本実施の形態における光学シートの輝度分布について、代表として図５の実施例３の通常時と空隙層１４内に押し込まれた接着剤もしくは粘着剤が復元して空隙層１４外に退避したものの測定結果を図６に示す。
上記図３と図６との比較から、同一の光拡散板及び光学シートを用いた場合、光拡散板と光学シートとの一体型構造の特性（図６に実線で示す曲線６１）が、光拡散板と光学シートと補助光学シートとを積層させた従来の構造の特性（図６に破線で示す曲線６２）と同様の性能を有しており、ある一定荷重（０．５Ｎ／ｍｍ２以上１．５Ｎ／ｍｍ２以下）にて空隙層１４内に押し込まれた接着剤もしくは粘着剤が元の状態に復元したものも同様の性能を有していることが示された。
【００２７】
（実施の形態２）
次に、本発明にかかる光学シートを用いたバックライトユニットを具備する液晶表示装置について図７を参照して説明する。この図７は液晶表示装置の概略断面図であり、各部位の縮尺は実際とは一致しない。
図７に示す液晶表示装置２０は、液晶パネル（特許請求の範囲に記載した画像表示素子に相当する）２１と、この液晶パネル２１の光入射側に臨ませて配置されたバックライトユニット２２を備える。
前記バックライトユニット２２は、液晶パネル２１の光入射側に臨ませて配置された、照明光路制御用の光学シート１０及び直下型光源２３を含んで構成される。また、前記光学シート１０は、上記図２に示す場合と同様に構成されているのでその構成説明は省略する。
【００２８】
前記直下型光源２３は、光学シート１０を構成する光拡散板１８の光入射面に対向して配設されるもので、光拡散板１８の光入射面に対向して配列された、ＬＥＤや冷陰極放電ランプ等からなる複数の光源ランプ２４と、この光源ランプ２４を収容し光源ランプ２４からの光を光学シート１０にめけて反射するランプハウス２５とから構成されている。
また、前記液晶パネル２１は、光学シート１０を構成するレンズシート１３のレンズ層１２と対向する側に配置されるもので、この液晶パネル２１の表面と裏面には、液晶パネル３０が表裏両面から挟持されるように偏光板２６と２７が設けられている。このようにして、液晶ディスプレイ、すなわち液晶表示装置が構成される。
【図面の簡単な説明】
【００２９】
【図１】従来におけるＢＥＦの構成例を示す概略図。
【図２】従来におけるＢＥＦの光学作用を説明するための概略図。
【図３】従来におけるＲＢＥＦ及び本発明にかかる光学シートの輝度分布（水平方向）を示す特性図。
【図４】本発明の実施の形態における光学シートの説明用断面図。
【図５】本発明の実施の形態における光学シートに使用される接着剤もしくは粘着剤の性質としての耐圧性能及び復元性能の例を示す説明図。
【図６】通常品と本発明の実施の形態における光学シートの輝度分布（水平方向）を示す特性図。
【図７】本発明にかかる光学シートを用いてなるバックライトユニットを組み込んだ液晶ディスプレイの構成を示す模式図。
【符号の説明】
【００３０】
１０……光学シート、１１……基材、１２……レンズ部、１２ａ……単位レンズ、１３……レンズシート、１４……空隙層、１５……光反射層、１６……感材、１７……接着層もしくは粘着層、１８……光拡散板、２０……液晶表示装置、２１……液晶パネル、２２……バックライトユニット、２３……直下型光源。
【図１】
2009116229.tif 000003
【図２】
2009116229.tif 000004
【図３】
2009116229.tif 000005
【図４】
2009116229.tif 000006
【図５】
2009116229.tif 000007
【図６】
2009116229.tif 000008
【図７】
2009116229.tif 000009